(57)【要約】【課題】容器本体や密封用の蓋材の内面が無添加ポリエチレンで構成された粉体用容器をヒートシールにより封緘した場合であっても開封が容易で、再封も可能な粉体用容器を提供する。【解決手段】上部開口部に外向きのフランジ部２１を有する容器本体２０と、フランジ部にヒートシールされた中蓋１と、開閉蓋付オーバーキャップ３０とを有し、容器本体と中蓋の容器内部側表面が無添加ポリエチレンである粉体を収納する粉体用容器であって、中蓋の外面に摘み６が接着部８において接着され、中蓋に、フランジ部の内側に沿って周回する第一の脆弱化線３と、接着部と第一の脆弱化線の間に中蓋の外縁側に凸の円弧状またはＵ字状の第二の脆弱化線４が設けられている。【選択図】図８
2018039528.tif 000002
【特許請求の範囲】
【請求項１】
上部開口部に外向きのフランジ部を有する容器本体と、フランジ部にヒートシールされた中蓋と、開閉蓋付オーバーキャップとを有し、前記容器本体と前記中蓋の容器内部側表面が無添加ポリエチレンである粉体を収納する粉体用容器であって、前記中蓋の外面に摘みが接着部において接着され、前記中蓋に、前記フランジ部の内側に沿って周回する第一の脆弱化線と、前記接着部と前記第一の脆弱化線の間に前記中蓋の外縁側に凸の円弧状またはＵ字状の第二の脆弱化線が設けられていることを特徴とする粉体用容器。
【請求項２】
前記第一の脆弱化線と前記第二の脆弱化線の最近接部の間隔が５ｍｍ以下であることを特徴とする請求項１に記載の粉体用容器。
【請求項３】
前記接着部と前記第一の脆弱線の最近接部の間隔が１０ｍｍ以下であることを特徴とする請求項１または請求項２のいずれかに記載の粉体用容器。
【請求項４】
前記第二の脆弱化線の端点を結んだ直線と円弧状またはＵ字状の凸端との間隔が１０ｍｍ以上２０ｍｍ以下であることを特徴とする請求項１から請求項３のいずれかに記載の粉体用容器。
【請求項５】
前記中蓋が容器内部側から無添加ポリエチレン、アルミ箔、ポリエチレンテレフタレート、ポリエチレンの順に積層された積層体であることを特徴とする請求項１から請求項４のいずれかに記載の粉体用容器。
【請求項６】
前記第一の脆弱化線が一部で前記フランジ部から離隔した直線状となっていることを特徴とする請求項１から請求項５のいずれかに記載の粉体用容器。
【請求項７】
前記容器本体が紙を含む積層体からなることを特徴とする請求項１から請求項６のいずれかに記載の粉体用容器。
【請求項８】
前記粉体が調製粉乳であることを特徴とする請求項１から請求項７のいずれかに記載の粉体用容器。
【発明の詳細な説明】
【技術分野】
【０００１】
本発明は、粉体を収納する容器に関し、特に調製粉乳を収納する容器として用いる際において開封が容易に可能な粉体用容器に関する。
【背景技術】
【０００２】
従来、調製粉乳（いわゆる粉ミルク）は特許文献１に開示されているように、金属缶に収納したものが一般的であった。しかしながら金属缶は重くかさばって運搬や保管に不都合であり、使用後の廃棄においても潰すことが容易でないので手間がかかり、焼却処分もできないといった問題点があった。
【０００３】
一方、廃棄性に優れた紙製複合容器が存在し、様々な用途に用いられている。例えば特許文献２には、紙またはプラスチックからなるカップ状の容器で、開口部を密封する中蓋と、中蓋を開封して取り去った後には開口部に嵌合して再封することができる外蓋を備えて再封性を持たせたものが開示されている。外蓋はポリ塩化ビニル製のシートを真空成型するなどして作成できることが例示されている。
【０００４】
ところが、粉体を内容物とする容器においては、特許文献２に開示されている様な開口部のコーナー部に嵌合させる方式の外蓋では、内容物を取り出すのに外蓋をその都度取り外さなければならず面倒であり、密閉性も十分ではないため好ましいものではなかった。
【０００５】
また粉体の中でも特に調製粉乳については、内容物の衛生性確保や変質の防止などの観点で乳等省令などの法令上の制約条件が他の物品よりも厳しく設定されており、収納容器についても金属以外の材料を用いる場合は、容器内面の内容物に接する面の材料が厳しく限定されており、また内容物を充填及び取り出しを行う開口部の封緘を行う蓋材内面についても同様に材料が制約されている。
【０００６】
それら限定された材料のうち、容器内面の材料として実際良く用いられるものとして無添加ポリエチレンがある。しかしながら無添加ポリエチレンを容器内面の材料として用いる場合、容器を密封するために内面をヒートシールすると、強固に接着してしまうため、逆に開封が困難になってしまうという問題点があった。
【先行技術文献】
【特許文献】
【０００７】
【特許文献１】特開２００６−２８２１９９号公報
【特許文献２】特開平６−１３７５号公報
【発明の概要】
【発明が解決しようとする課題】
【０００８】
本発明は以上のような従来技術に鑑みなされたもので、調製粉乳を収納するために容器本体や密封用の蓋材の内面が無添加ポリエチレンで構成された粉体用容器において、ヒートシールにより封緘した場合であっても開封が容易で、再封も可能な粉体用容器を提供することを課題とする。
【課題を解決するための手段】
【０００９】
上記課題を解決するため、本発明の請求項１に係る発明は、
上部開口部に外向きのフランジ部を有する容器本体と、フランジ部にヒートシールされた中蓋と、開閉蓋付オーバーキャップとを有し、前記容器本体と前記中蓋の容器内部側表面
が無添加ポリエチレンである粉体を収納する粉体用容器であって、前記中蓋の外面に摘みが接着部において接着され、前記中蓋に、前記フランジ部の内側に沿って周回する第一の脆弱化線と、前記接着部と前記第一の脆弱化線の間に前記中蓋の外縁側に凸の円弧状またはＵ字状の第二の脆弱化線が設けられていることを特徴とする粉体用容器である。
【００１０】
また、本発明の請求項２に係る発明は、
前記第一の脆弱化線と前記第二の脆弱化線の最近接部の間隔が５ｍｍ以下であることを特徴とする請求項１に記載の粉体用容器である。
【００１１】
また、本発明の請求項３に係る発明は、
前記接着部と前記第一の脆弱線の最近接部の間隔が１０ｍｍ以下であることを特徴とする請求項１または請求項２のいずれかに記載の粉体用容器である。
【００１２】
また、本発明の請求項４に係る発明は、
前記第二の脆弱化線の端点を結んだ直線と円弧状またはＵ字状の凸端との間隔が１０ｍｍ以上２０ｍｍ以下であることを特徴とする請求項１から請求項３のいずれかに記載の粉体用容器である。
【００１３】
また、本発明の請求項５に係る発明は、
前記中蓋が容器内部側から無添加ポリエチレン、アルミ箔、ポリエチレンテレフタレート、ポリエチレンの順に積層された積層体であることを特徴とする請求項１から請求項４のいずれかに記載の粉体用容器である。
【００１４】
また、本発明の請求項６に係る発明は、
前記第一の脆弱化線が一部で前記フランジ部から離隔した直線状となっていることを特徴とする請求項１から請求項５のいずれかに記載の粉体用容器である。
【００１５】
また、本発明の請求項７に係る発明は、
前記容器本体が紙を含む積層体からなることを特徴とする請求項１から請求項６のいずれかに記載の粉体用容器である。
【００１６】
また、本発明の請求項８に係る発明は、
前記粉体が調製粉乳であることを特徴とする請求項１から請求項７のいずれかに記載の粉体用容器である。
【発明の効果】
【００１７】
本発明の粉体用容器によれば、最内層の無添加ポリエチレンのヒートシールにより容器の開口部を密閉している中蓋を、容器の開封のために中蓋の外面に接着された摘みを引き上げた際に、中蓋にかかる張力により第一の脆弱化線と第二の脆弱化線の部位に生じる伸びや部分的な破断により生じるゆがみや変形の相乗効果により脆弱化線の破断が進みやすくなることで、第一の脆弱化線に沿った開封を容易に進めることができ、開封後はオーバーキャップの開閉蓋の開閉により内容物を繰り返し取り出すことができる粉体用容を提供できる。
【００１８】
このとき、第一の脆弱化線と第二の脆弱化線の最近接部の間隔が接触している場合も含め５ｍｍ以下とすると互いに近接した状態となり、第一の脆弱化線と第二の脆弱化線の部位に生じる伸びや破断により生じるゆがみや変形の影響が互いにより伝わりやすくなり破断がより進みやすくなり好適である。
【００１９】
また、摘みの接着部と第一の脆弱線の最近接部の間隔を１０ｍｍ以下とすると、摘みを
引き上げる力をより効果的に脆弱化線を破断する力として作用させることができる。
【００２０】
また、第二の脆弱化線の端点を結んだ直線と円弧状またはＵ字状の凸端との間隔を１０ｍｍ以上２０ｍｍ以下とすると、第二の脆弱化線の部位に生じる伸びや破断により生じるゆがみや変形の効果が十分得られると共に中蓋の他の部位に逃げにくくなり、より良好に第一の脆弱化線を破断する力として作用させることができる。
【００２１】
また中蓋の積層体は最内層を無添加ポリエチレンとすると共にアルミ箔によりバリア性が、ポリエチレンテレフタレートにより強度が、ポリエチレンにより接着性が、それぞれ高められ、乳等省令に適合して調製粉乳の容器に使用できる中蓋とすることができる。
【００２２】
また、中蓋を切り取るための脆弱化線の一部を直線状の擦切線とすることで、スプーンですくった粉乳等の粉体の擦り切りを容易に行うことができる。
【００２３】
また、容器本体を紙を含む積層体とすることで、軽く、安価に製造でき、使用後の焼却等の処分の際にも環境負荷の少ない容器とすることができる。
【図面の簡単な説明】
【００２４】
【図１】本発明の粉体容器に中蓋をヒートシールした状態の上面模式図である。
【図２】本発明の粉体容器の摘みの部分の断面図である。
【図３】本発明の粉体容器の摘みの部分の拡大図である。
【図４】本発明の粉体容器の中蓋を開封する様子を示す断面図である。
【図５】摘みと接着部を同じ積層体に設けた中蓋を開封する様子を示す断面図である。
【図６】本発明の粉体容器の外観模式図である。
【図７】本発明の粉体容器の中蓋の上からリング部を嵌合させた状態の上面図である。
【図８】本発明の粉体容器の中蓋の上からオーバーキャップを被せた状態の摘み部分の断面図である。
【発明を実施するための形態】
【００２５】
以下、本発明の一実施形態を、図面を参照しながら詳細に説明する。なお本発明は以下に説明する実施形態に限定して解釈されるものではない。
【００２６】
図１は、本発明の粉体容器の上部開口部に中蓋１をヒートシールした状態を中蓋１の上方から見た図である。中蓋１には開封する際の取手となる摘み６がヒートシールで接着されている。また図２は、本発明の粉体容器の中蓋１を容器本体２０にヒートシールした状態の摘み６の部分の断面を示した模式図である。中蓋１の周縁部は角丸の矩形状の上部開口部を有する容器本体２０の上部開口部に外向きに設けられたフランジ部２１と全周に亘ってヒートシールされたヒートシール部２となっていて容器本体２０を密封する。中蓋１には、フランジ部２１の内側にあたる部分を周回して第一の脆弱化線３が設けられている。
【００２７】
第一の脆弱化線３は一部でフランジ部２１から離れて斜行する直線状となり、擦切部５となっている。この部位は中蓋１を第一の脆弱化線３に沿って切り取った後は直線状のエッジとなり、内容物の粉体をスプーン等で掬ったときに粉体の擦り切りを行うことができる。また中蓋１には、摘み６の接着部８と第一の脆弱化線３の間に、中蓋１の外縁側に凸の円弧状またはＵ字状の第二の脆弱化線４が設けられている。
【００２８】
中蓋１は図２に示すような積層体とすることができ、容器内部側表面が無添加ポリエチレンであるほかは要求仕様に応じて様々な構成とすることができるが、本実施形態では容
器内部側から順次、無添加ポリエチレン１６、アルミ箔１５、ポリエチレンテレフタレート１４、ポリエチレン１３が積層されている。アルミ箔１５は中蓋１のバリア性を高め、ポリエチレンテレフタレート１４は中蓋１の強度を高め、ポリエチレン１３は摘み６とのヒートシール層として好適である。中蓋１の容器内部側表面、すなわち内容物に接する層を無添加ポリエチレンとすることで乳等省令に適合し、調製粉乳の容器に用いることができる。
【００２９】
摘み６は、要求仕様に応じて様々な構成とすることができるが、本実施形態では容器内部側からポリエチレン１２、ポリエチレンテレフタレート１１が積層されており、それぞれの特性は中蓋１と同様である。中蓋１と摘み６は接着部８でヒートシールする以外にも公知の接着技術を適宜選択して適用して接着しても良い。
【００３０】
中蓋１のポリエチレンテレフタレート１４にはフランジ部２１内側に沿って傷加工がなされ第一の脆弱化線３となっている。また第一の脆弱化線３と接着部８の間に中蓋１の外縁側に凸の円弧状に傷加工がなされ第二の脆弱化線４となっている。脆弱化線が２本設けられることでこの部位はより強度が低くなるため、この部分に張力がかかると伸び、歪み、変形が起こりやすくなるため破断されやすくなり、摘み６を引き上げて中蓋１を切り開いて開封する際には両脆弱化線の部位で破断が進行し、第一の脆弱化線３に沿って中蓋１をきれいに切り開いて開封することができる。なお第一の脆弱化線３、第二の脆弱化線４は、それぞれ公知のハーフカット加工、レーザー光照射などの傷加工技術を適宜用いて設けることができる。
【００３１】
図３は、摘み６、第一の脆弱化線３及び第二の脆弱化線４の位置関係等を示した図である。また図４は摘み６を引き上げて開封しようとする状態を示す図である。第一の脆弱化線３と第二の脆弱化線４との間隔Ｄが離れていくと、摘み６を図４の矢印Ｘの方向に引き上げた際に中蓋１にかかる図４の矢印Ｙ方向の張力によって脆弱化線の部位に生じる歪みや変形の効果がしだいに互いに伝わりにくくなって相乗効果が薄れるため、間隔Ｄを最近接点において接触しているか５ｍｍ以下とすると、２本の脆弱化線を設けた効果が十分に得られ好適である。
【００３２】
また、摘み６の接着部８と第一の脆弱線３の最近接部の間隔Ａが小さいほど、摘み６を矢印Ｘの方向に引き上げたときの矢印Ｙ方向の張力が２本の脆弱化線に近接した部位からかかり切り開きに有利であるが、間隔Ａは１０ｍｍ以下とすれば安定して第一の脆弱化線３の部位で破断することができる。
【００３３】
また、第二の脆弱化線４の、端点を結んだ直線と円弧状またはＵ字状の凸端との間隔Ｅを１０ｍｍ以上２０ｍｍ以下とするのが好ましい。１０ｍｍよりも小さいと脆弱化した部分が小さすぎて脆弱化の効果が十分でなく、２０ｍｍより大きいと第二の脆弱化線の破断が他の部分に広がってしまうおそれが出てくる。
【００３４】
接着部８の接着幅Ｂは特に限定するものではないが、５ｍｍ以上１５ｍｍ以下とすると安定した接着が得られる。５ｍｍ未満では接着時のばらつきなどの要因により開封時に剥がれてしまうおそれがあり、１５ｍｍを超えても接着効果に差が無く無駄となる。
【００３５】
摘み６の形状は図３に示すような半楕円状のほか半長円、矩形、台形など摘みやすい形状を適宜選択すれば良く、また接着部から突出する長さＣも摘みやすい長さであれば特に制限はなく適宜設定すれば良いが、１０ｍｍ以上５０ｍｍ以下程度とするのが持ちやすく好ましい。また摘み６の実際に摘まれる部分は、図１に例示したように接着部８に対して中蓋１の外縁側にあっても、図４に例示したように中蓋１の中央部側にあっても、どちらでも良い。
【００３６】
摘み６、第一の脆弱化線３及び第二の脆弱化線を以上のような条件で設けることにより、中蓋１を開封する際に摘み６を引き上げたとき、中蓋１を引き上げる力が第一の脆弱化線３に効果的にかかるため、第一の脆弱化線３の部位をより容易に破断させることができ、第一の脆弱化線３に沿って中蓋１を切り開いて開封することができる。
【００３７】
一方、図５に示したように摘み１０４と脆弱化線１０３を設けた容器内面側が無添加ポリエチレンである積層体１００が同一である場合は、フランジ部１２１の内側に脆弱化線１０３を設けても、開封のために摘み１０４を引き上げたとき、中蓋を引き上げる力が矢印に示すように積層体１００とフランジ部１２１とのヒートシール部１０２にかかり、容器を密封するために強く接着された無添加ポリエチレンのヒートシール部１０２を引き剥がさないと脆弱化線１０３に達しないため開封が困難である。また強い力で無理やり剥がそうとすると、勢いあまって脆弱化線１０３を通り越して摘み１０４の幅のまま切り裂いてしまったり、ヒートシール部１０２でなく積層体１００の層間を剥離してしまうおそれもあり、その場合は層が一部残ってしまうなど好ましくない結果となるおそれがある。
【００３８】
図６は、本発明の粉体用容器の一実施形態の外観模式図であり、紙を含む積層体からなり容器内面が無添加ポリエチレンである容器本体２０に、中蓋１がヒートシールされ、さらにプラスチック成型体のオーバーキャップ３０が装着されている。容器本体２０を構成する紙を含む積層体は、容器の仕様に適合したものを適宜選択して用いることができ特に限定するものではないが、板紙と、ポリオレフィンフィルム、ポリエステルフィルム、ナイロンフィルムなどのプラスチックフィルムや、プラスチックフィルムに金属や無機酸化物を蒸着したもの、金属箔などを積層することができ、ガスバリア層、印刷層、接着層などを適宜設けることができる。容器本体２０を紙を含む積層体で構成することで、軽量でも強度が得られ、安価に製造でき、廃棄後処分する際の環境負荷を小さくすることができる。なお容器の内面を無添加ポリエチレンとすることで乳等省令に適合し、調製粉乳の収納容器とすることができる。
【００３９】
オーバーキャップ３０は、プラスチックの成形体であり、枠状のリング部３１が容器本体２０の中蓋１がヒートシールされたフランジ部２１と嵌合し、ヒンジ部３３を介して開閉自在の開閉蓋３４を有している。ヒンジ部３３の構造は特に限定するものでなく、開閉蓋３４の回動が自在となるようくびれを設けるなど公知の構造を適用して良い。
【００４０】
図７は、オーバーキャップ３０のリング部３１が中蓋１をヒートシールした容器本体２０の上部開口部に嵌合した状態を上方から見た図である。リング部３１はフランジ部２１を周回して覆うように装着され、リング部３１の内側の縁３５は中蓋１に設けた第一の脆弱化線３を覆わない位置にある。このようにすることで、摘み６を引き上げて中蓋１を開封する際にもオーバーキャップ３０を取り外す必要が無く利便性が高い。摘み６の摘む部分がリング部３１に向けて接着されている場合、摘み６の長さによってはリング部３１に達してしまう場合もあるが、その際は摘む部分を少し捲りあげて、リング部３１上に出るように装着すれば開封に支障はない。
【００４１】
図８は、オーバーキャップ３０を取り付けた状態の摘み６の部分の断面図である。オーバーキャップ３０のリング部３１は、フランジ部２１上で中蓋１を覆っているが、第一の脆弱化線３よりも内側の部分は覆っていない。リング部３１はまたフランジ部２１の縁と突起３２で嵌合しているが、嵌合している部分をはずせば取り外すことも可能であり、廃棄の際は分別して廃棄できる。なおフランジ部２１との嵌合は突起３２に限られず、例えばフラップと呼ばれる羽根状の部材を設けるなどでも良く、特に限定するものではない。
【００４２】
またリング部３１を周回して立ち上がっている壁状の部分である枠部３５を設けること
ができ、開閉蓋３４に逆向きに同様の構造部を設けて噛み合って開閉蓋３４を閉めたときの容器の閉鎖性を高めることができる。
【００４３】
以上説明したように、本発明の粉体用容器によれば、調製粉乳容器に要求される容器内面の材料を用いて、開封性が良好で、金属缶よりも廃棄が容易な粉体容器を得ることができる。
【符号の説明】
【００４４】
１・・・中蓋
２・・・ヒートシール部
３・・・第一の脆弱化線
４・・・第二の脆弱化線
５・・・擦切部
６・・・摘み
８・・・接着部
２０・・容器本体
２１・・フランジ部
３０・・オーバーキャップ
３１・・リング部
３２・・突起
３３・・ヒンジ部
３４・・開閉蓋
【図１】
2018039528.tif 000003
【図２】
2018039528.tif 000004
【図３】
2018039528.tif 000005
【図４】
2018039528.tif 000006
【図５】
2018039528.tif 000007
【図６】
2018039528.tif 000008
【図７】
2018039528.tif 000009
【図８】
2018039528.tif 000010